(57)【要約】
【課題】喫煙室等内の煙草の煙を小さな設備と少ない換気量で清浄化すると共に、未除去の有害物質の蓄積を防ぎ、喫煙室等から煙草の煙を漏らさず、喫煙室等内を快適な空間にすることが出来る室外換気連動型空気清浄機能付きテーブルを提供する。
【解決手段】箱体２にエアー吸気口３、エアー排気口４及びエアー換気口５を設け、エアー吸気口３の下流側の箱体２内にエアー分配機６を設けて箱体２内を排気側ルート７と換気側ルート８とに分け、排気側ルート７のエアー分配機６とエアー排気口４との間の箱体２に空気清浄機９及び送風機１０を設け、換気側ルート８はエアー分配機６からエアー換気口５に到りこのエアー換気口５は室内換気口１１に接続することで、吸引エアーをエアー分配機６による分配比率により、喫煙室Ａを清浄化して排気すると共に、未清浄化のまま換気して喫煙室Ａ内に未除去の有害物質の蓄積を防ぎ、上記課題を達成できる。
【選択図】　　　　図１
0003099170.tif 000002
【実用新案登録請求の範囲】
【請求項１】
　箱体にエアー吸気口、エアー排気口及びエアー換気口を設け、前記エアー吸気口の下流側の前記箱体内にエアー分配器を設けて前記箱体内を排気側ルートと換気側ルートとに分けて、前記排気側ルートの前記エアー分配機と前記エアー排気口との間の箱体内に空気清浄機及び送風機を設け、前記換気側ルートは前記エアー換気口に到り該エアー換気口は室内換気口に接続可能としてなり、前記エアー吸気口からの吸引した室内のエアーを前記エアー分配器による分配比率により、清浄化して前記室内に排気すると共に、未清浄化のまま換気することを特徴とする室外換気連動型空気清浄機能付きテーブル。
【請求項２】
　箱体にエアー吸気口、エアー排気口及びエアー換気口を設け、前記エアー吸気口の下流側の前記箱体内に空気清浄機及び送風機を設けて、更にこれら空気清浄機及び送風機の下流側にエアー分配器を設けて前記箱体内を排気側ルートと換気側ルートとに分け、前記排気側ルートは前記エアー排気口に到り、前記換気側ルートは前記エアー換気口に到って該エアー換気口は室内換気口に接続可能としてなり、前記エアー吸気口からのエアーを前記空気清浄器により清浄化し前記エアー分配機による分配比率により、前記室内に排気すると共に換気することを特徴とする室外換気連動型空気清浄機能付きテーブル。
【請求項３】
　箱体にエアー吸気口及びエアー排気口を設け、前記エアー吸気口と前記エアー排気口との間の前記箱体内に空気清浄機及び送風機を設けて、且つ前記箱体上に換気用吸気口を設け該換気用吸気口は室内換気口と接続してなり、前記エアー吸気口から吸引した室内のエアーを清浄化して前記室内に排気すると共に、前記換気用吸気口から吸引したエアーを未清浄化のまま換気することを特徴とする室外換気連動型空気清浄機能付きテーブル。
【請求項４】
　箱体にエアー吸気口及びエアー換気口を設けて、前記エアー吸気口と前記エアー換気口との間の前記箱体内をエアー通路とし、前記エアー換気口は室内換気口と接続してなり、前記エアー吸気口から吸引した室内のエアーをそのまま前記エアー換気口を通じて前記室内換気口から換気することで、室内のエアーを清浄化することを特徴とする室外換気連動型空気清浄機能付きテーブル。
【請求項５】
　前記エアー分配器は、少なくとも排気側ルート単独、換気側ルート単独及び双方ルートに分配可能である請求項１または２記載の室外換気連動型空気清浄機能付きテーブル。
【請求項６】
　前記エアー分配器は、室内外の気温情報により、排気側ルート単独、換気側ルート単独及び双方ルートに分配可能である請求項１または２記載の室外換気連動型空気清浄機能付きテーブル
【請求項７】
　前記エアー分配器は、室内の有害物質情報により、排気側ルート単独、換気側ルート単独及び双方ルートに分配可能である請求項１または２記載の室外換気連動型空気清浄機能付きテーブル
【請求項８】
　前記エアー吸気口に天板式吸引装置を設けてなり、該天板式吸引装置は前記エアー吸気口上方に設けた天板とこの天板の支持部とからなる請求項１、２、３、４、５、６または７記載の室外換気連動型空気清浄機能付きテーブル
【請求項９】
　前記エアー吸気口に全面吸引装置を設けてなり、該全面吸引装置は前記エアー吸気口上を通気性を有する部材にて覆ってなる請求項１、２、３、４、５、６または７記載の室外換気連動型空気清浄機能付きテーブル
【請求項１０】
　前記エアー吸気口に竜巻式吸引装置を設けてなり、該竜巻式吸引装置は筒体の側壁に切欠を設け、前記筒体の少なくとも一端部に吸引孔を設けて前記エアー吸気口につなげている請求項１、２、３、４、５、６または７記載の室外換気連動型空気清浄機能付きテーブル
【考案の詳細な説明】
【技術分野】
【０００１】　本考案は、喫煙室等に設置する室外換気連動型空気清浄機能付きテーブルに関する。
【背景技術】
【０００２】　喫煙室等において、その空間内のエアーを最小限の設備で清浄化するには、気流の制御を行い発生源から煙草の煙が拡散する前に、効率よく清浄機器に導くことが重要である。したがって、喫煙室等内で使用される従来の喫煙所用空気清浄機は、如何にして発生源から煙草の煙が拡散する前に捕集するかに技術的主眼があり、エアーカーテンや竜巻を利用した気流制御方式や、所謂ダイレクト吸引と呼ばれる気流制御を特に行わない方式でも、そのエアー吸気口形状の改善や喫煙者がエアー吸気口に近づく動機付けを与えるようなデザインにして、効率よく煙草の煙を捕集している。そして、これらの喫煙所用空気清浄機は、捕集した煙草の煙を清浄化して、快適な喫煙空間を提供し且つ喫煙室等外の非喫煙空間に煙草の煙の影響が極力出ないようにしている。【０００３】　しかし、これらの喫煙所用空気清浄機は、喫煙室等内の煙の粉塵成分やそれに由来する臭い（以下、煙等とする）、あるいは一部のガスは、喫煙所用空気清浄機によりかなりの部分除去することが可能ではあるが、炭酸ガスや一酸化炭素などの有害ガスは喫煙室等内に蓄積するから、必ず換気が必要となる。ところが、従来の喫煙所用空気清浄機は、効率よく煙草の煙を捕集して煙等を清浄化するが換気機能は無いので、喫煙室等に室内換気口や室内吸気口を設置し、これらの換気機構を利用して有害ガスの蓄積を防いでいる。【０００４】　既設の建造物における室内の一角を閉鎖空間とし、その閉鎖空間を喫煙室等として、集塵機にて清浄化する次のようなものが知られている。
【特許文献１】　特開昭６１−４９９４８号公報
　この文献によれば、この喫煙所用空気清浄機は、図７に示すように、筐体ａと、この筐体ａに設けられた空気取入口ｂ及び空気吹出口ｃと、筐体ａ内に設置された集麈機ｄと、筐体ａ内部の集塵機ｄの上流側に形成された第１空気通路ｅと、筐体ａ内部の集塵機ｄの下流側に形成された第２空気通路ｆと、この第２空気通路ｆ内の空気を加圧し空気吹出口ｃへ送風する送風機ｇとを備え、空気吹出口ｃはその吹出気流が筐体ａ外の室内空間ｈを２分割するエアーカーテンｉを形成するように配設され、空気取入口ｂの少なくとも１っは２分割された室内空間ｈの一方のみに面して筐体ａ内部の第１空気通路ｅと連通するように配設されてなるものである。これにより、室内空間ｈ内をエアーカーテンｉにより２分割し、空気取入口ｂのある空間を喫煙室ｊとし、集塵機ｄにより浄化したエアーを非喫煙室ｋ側に排出するものである。【０００５】　また、既設の建造物における室内の一角を閉鎖空間とし、その閉鎖空間内に発生する臭気や煙を排除する次のようなものが知られている。
【特許文献２】　特開平７−１９５５９号公報
　この文献によれば、図８に示すように、天井面ｍに、室内空間ｈ内で発生する臭気・煙等を外部に拡散しないように、これらの発生源を囲うようにラインフローファンｎを配設し、このラインフローファンｎの内周面に沿い天井面ｍにスリット状の空気取入口ｂを形成して、この空気取入口ｂからのエアーを排気ファンｏにより排出される等圧チャンバーｐをスペースＲの天井裏に配設したものである。これにより、室内空間ｈ内のスペースＲをラインフローファンｎにて循環したエアーカーテンｉにより閉鎖するから、スペースＲ内の臭気・煙等の発生源からの臭気・煙等はスペースＲ内に閉じこめられ、室内空間ｉに拡散することなく、排気ファンｏにより外部に排出される。【０００６】　既設の建造物における室内の一角を閉鎖空間とする本出願人のものとして、次のようなものが知られている。
【特許文献３】　特開平６−５４７５４号公報
　この文献によれば、図９に示すように、つい立て本体ｑのエアー循環吸込口ｒ及びエアー吸込口ｓを内側にして、室内空間ｈ内の一部を囲う形に１以上のつい立て本体ｑを配置し、このつい立て本体ｑの送風機によるエアーカーテンｉにて室内空間ｈ内の一部を囲い喫煙室ｊを形成すると共に、１以上のつい立て本体ｑ内の空気清浄装置により清浄化したエアーの排気ファンによる排出エアー量を、エアーカーテンｉが喫煙室ｊの外部から巻き込むエアー量Ｑよりも大に設定して、喫煙室ｊ内を常時負圧状態にし、喫煙室ｊ内から煙草の煙を出さないようにしたものである。【０００７】　この他、ダイレクト吸引方式の喫煙所用空気清浄機としては、本出願人による次のようなものが知られている。
【特許文献４】　特許第２０４２６２３号公報
【特許文献５】　特許第３０５７３５２号公報
【考案の開示】
【考案が解決しようとする課題】
【０００８】　特許文献１の喫煙所用空気清浄機は、喫煙室ｊ内の煙等を、集塵機によりかなりの量を除去することが可能であるが、未除去の煙等並びに炭酸ガスや一酸化炭素の一部が喫煙室ｊ外、すなわち、室内空間ｈ内の非喫煙室ｋ側に漏れることになり、非喫煙室ｋ側の非喫煙者を未除去の煙等並びに炭酸ガスや一酸化炭素に晒すことになる。更に、未除去の煙等並びに炭酸ガスや一酸化炭素は、喫煙室ｊ内に蓄積することになって、喫煙室ｋ内を快適な喫煙空間にすることが出来ない。【０００９】　また、特許文献２のものは、スペースＲ内の臭気・煙等の発生源からの臭気・煙等を排気ファンｏにより直接外部に排気するから、室内空間ｈ内に拡散しづらいが、排気量が多くなり過ぎ空調負荷が高くなる。また、これは、天井面ｍにスリット状の空気取入口ｂを形成したり、ラインフローファンｎを設置したり、更に天井裏に等圧チャンバーｐを設置したり、加えて、排気ファンｏも設置しなければならず、室内空間ｈ内に簡易に設置することが不可能となる。【００１０】　また、特許文献３のものは、室内空間ｈ内の一部を囲う形に１以上のつい立て本体ｑを配置するだけで喫煙室ｊを形成でき、更に、喫煙室ｊ内の煙等を空気清浄装置によりかなり除去することが可能であるが、未除去の煙等並びに炭酸ガスや一酸化炭素を含むエアーが喫煙室ｊ内の負圧を確保するために、外の非喫煙室ｋ側に排出され、非喫煙室ｋ側の非喫煙者を未除去の煙等並びに炭酸ガスや一酸化炭素に晒すこととなる。更に、未除去の煙等並びに炭酸ガスや一酸化炭素は、喫煙室ｊ内に蓄積することになって、喫煙室ｊ内を快適な喫煙空間とすることが出来ない。【００１１】　更に、特許文献４、５のものは、いずれもエアー吸気口の形状の改善を行い、効率よく煙草の煙を捕集し清浄化することは出来ても、換気機能が無いから、未除去の煙等並びに炭酸ガスや一酸化炭素は、喫煙室ｊ内に蓄積することになって、喫煙室ｊ内を快適な喫煙空間とするには、換気機能のある喫煙室ｊ内に設置する必要がある。【００１２】　そこで、本考案は、上記事情に鑑みてなされたもので、喫煙室等における喫煙者からの煙草の煙の吸引効率を上げて、小さな設備と少ない換気量で、煙草の煙を清浄化すると共に、未除去の煙等及び炭酸ガスや一酸化炭素などの有害ガスの蓄積を防ぎ、喫煙室等から非喫煙空間に煙草の煙を漏らさず、喫煙室等内も清浄化して快適な空間にすることが出来る室外換気連動型空気清浄機能付きテーブルを提供することを課題とする。
【課題を解決するための手段】
【００１３】　本考案は、上記課題を達成するために提案されたものであって、下記の構成からなることを特徴とするものである。
　すなわち、請求項１記載の考案は、箱体にエアー吸気口、エアー排気口及びエアー換気口を設け、前記エアー吸気口の下流側の前記箱体内にエアー分配器を設けて前記箱体内を排気側ルートと換気側ルートとに分けて、前記排気側ルートの前記エアー分配機と前記エアー排気口との間の箱体内に空気清浄機及び送風機を設け、前記換気側ルートは前記エアー換気口に到り該エアー換気口は室内換気口に接続可能としてなり、前記エアー吸気口からの吸引した室内のエアーを前記エアー分配器による分配比率により、清浄化して前記室内に排気すると共に、未清浄化のまま換気することを特徴とする。【００１４】　請求項２記載の考案は、箱体にエアー吸気口、エアー排気口及びエアー換気口を設け、前記エアー吸気口の下流側の前記箱体内に空気清浄機及び送風機を設けて、更にこれら空気清浄機及び送風機の下流側にエアー分配器を設けて前記箱体内を排気側ルートと換気側ルートとに分け、前記排気側ルートは前記エアー排気口に到り、前記換気側ルートは前記エアー換気口に到って該エアー換気口は室内換気口に接続可能としてなり、前記エアー吸気口からのエアーを前記空気清浄器により清浄化し前記エアー分配機による分配比率により、前記室内に排気すると共に換気することを特徴とする。【００１５】　請求項３記載の考案は、箱体にエアー吸気口及びエアー排気口を設け、前記エアー吸気口と前記エアー排気口との間の前記箱体内に空気清浄機及び送風機を設けて、且つ前記箱体上に換気用吸気口を設け該換気用吸気口は室内換気口と接続してなり、前記エアー吸気口から吸引した室内のエアーを清浄化して前記室内に排気すると共に、前記換気用吸気口から吸引したエアーを未清浄化のまま換気することを特徴とする。【００１６】　請求項４記載の考案は、箱体にエアー吸気口及びエアー換気口を設けて、前記エアー吸気口と前記エアー換気口との間の前記箱体内をエアー通路とし、前記エアー換気口は室内換気口と接続してなり、前記エアー吸気口から吸引した室内のエアーをそのまま前記エアー換気口を通じて前記室内換気口から換気することで、室内のエアーを清浄化することを特徴とする。【００１７】　請求項５記載の考案は、前記エアー分配器は、少なくとも排気側ルート単独、換気側ルート単独及び双方ルートに分配可能であることを特徴とする。【００１８】　請求項６記載の考案は、前記エアー分配器は、室内外の気温情報により、排気側ルート単独、換気側ルート単独及び双方ルートに分配可能であることを特徴とする。【００１９】　請求項７記載の考案は、前記エアー分配器は、室内の有害物質情報により、排気側ルート単独、換気側ルート単独及び双方ルートに分配可能であることを特徴とする。【００２０】　請求項８記載の考案は、前記エアー吸気口に天板式吸引装置を設けてなり、該天板式吸引装置は前記エアー吸気口上方に設けた天板とこの天板の支持部とからなることを特徴とする。【００２１】　請求項９記載の考案は、前記エアー吸気口に全面吸引装置を設けてなり、該全面吸引装置は前記エアー吸気口上を通気性を有する部材にて覆ってなることを特徴とする。【００２２】　請求項１０記載の考案は、前記エアー吸気口に竜巻式吸引装置を設けてなり、該竜巻式吸引装置は筒体の側壁に切欠を設け、前記筒体の少なくとも一端部に吸引孔を設けて前記エアー吸気口につなげていることを特徴とする。
【考案の効果】
【００２３】　以上詳述したように、本考案によれば、以下のような効果がある。
　請求項１記載の考案は、箱体内の送風機を作動させると、室内のエアーをエアー吸気口から吸引し、エアー分配器の分配比率により排気側ルートと換気側ルートとに分け、排気側ルートのエアーは空気清浄機により清浄化されてエアー排気口から室内に排気され、換気側ルートのエアーはエアー換気口を経由して室内換気口から室外に未清浄化のまま換気される。したがって、排気側ルートのエアーのみを空気清浄機により清浄化するから、換気側ルートのエアーを清浄化しない分空気清浄機を小さく出来、排気側ルートのエアーを換気しない分換気量を少なくでき、煙草の煙を清浄化すると共に未除去の煙等及び炭酸ガスや一酸化炭素などの有害ガスの蓄積を防ぎ、喫煙室等から非喫煙空間に煙草の煙を漏らさず、喫煙室等内も清浄化して快適な空間にすることが出来る効果がある。【００２４】　請求項２記載の考案は、箱体内の送風機を作動させると、室内のエアーをエアー吸気口から吸引し空気清浄機により清浄化したあと、エアー分配器の分配比率により排気側ルートと換気側ルートとに分けられ、排気側ルートのエアーはエアー排気口から室内に排気され、換気側ルートのエアーはエアー換気口を経由して室内換気口から室外に換気される。したがって、排気側ルートのエアーを換気しない分換気量を少なくでき、煙草の煙を清浄化すると共に未除去の煙等及び炭酸ガスや一酸化炭素などの有害ガスの蓄積を防ぎ、喫煙室等から非喫煙空間に煙草の煙を漏らさず、喫煙室等内も清浄化して快適な空間にすることが出来る効果がある。【００２５】　請求項３記載の考案は、箱体内の送風機を作動させると、室内のエアーをエアー吸気口から吸引し空気清浄機により清浄化したあと、エアー排気口から室内に排気され、且つ換気気用吸気口から室内のエアーを吸引して未清浄化のまま室内換気口から室外に換気される。したがって、エアー吸気口から吸引したエアーのみを空気清浄機により清浄化するから、換気用吸気口から吸引したエアーを清浄化しない分空気清浄機を小さく出来、エアー吸気口から吸引したエアーを換気しない分換気量を少なくでき、煙草の煙を清浄化すると共に未除去の煙等及び炭酸ガスや一酸化炭素などの有害ガスの蓄積を防ぎ、喫煙室等から非喫煙空間に煙草の煙を漏らさず、喫煙室等内も清浄化して快適な空間にすることが出来る効果がある。【００２６】　請求項４記載の考案は、エアー吸気口から室内のエアーを吸引し、そのままエアー換気口を通じて室内換気口から換気して、室内のエアーを清浄化する。したがって、エアー吸気口から吸引したエアーを清浄化しないから、空気清浄機及び送風機がいらず、換気のみにより、室内を清浄化すると共に未除去の煙等及び炭酸ガスや一酸化炭素などの有害ガスの蓄積を防ぎ、喫煙室等から非喫煙空間に煙草の煙を漏らさず、喫煙室等内も清浄化して快適な空間にすることが出来る効果がある。【００２７】　請求項５記載の考案は、室内外の状況により、エアー分配器の分配比率を決めて、排気側ルート単独、換気側ルート単独及び双方ルートに分配して、エアー吸気口から吸引したエアーを清浄化及び換気する。したがって、上記効果に加えて、室内外の状況に合わせて清浄化及び換気効率を上げる効果がある。【００２８】　請求項６記載の考案は、室内外の気温状況により、エアー分配器の分配比率を決めて、排気側ルート単独、換気側ルート単独及び双方ルートに分配して、エアー吸気口から吸引したエアーを清浄化及び換気する。したがって、上記効果に加えて、室内外の温度状況に合わせて清浄化及び換気効率を上げる効果がある。【００２９】　請求項７記載の考案は、室内の有害物質状況により、エアー分配器の分配比率を決めて、排気側ルート単独、換気側ルート単独及び双方ルートに分配して、エアー吸気口から吸引したエアーを清浄化及び換気する。したがって、上記効果に加えて、室内の有害物質状況に合わせて清浄化及び換気効率を上げる効果がある。【００３０】　請求項８記載の考案は、エアー吸気口上方にある天板により、主に水平方向の煙草の煙の有効吸引領域が広がり、広い範囲の煙草の煙を吸引する。したがって、上記効果に加えて、エアー吸気口回りの広い範囲の煙草の煙を吸引できる効果がある。【００３１】　請求項９記載の考案は、エアー吸気口上方に漂う煙草の煙を直接吸引する。したがって、上記効果に加えて、エアー吸気口上方の煙草の煙を吸引できる効果がある。【００３２】　請求項１０記載の考案は、エアー吸気口を通じて筒体の一端部にある吸引孔からエアーを吸引すると、切欠からエアーを吸引して筒体に向かう気流が生じ、この気流中に筒体が存在するのと同じ状況となり、この筒体内に速度差を生じている部位である不連続面が生じて、筒体内の不連続面に多数の小渦が生じ、これら多数の小渦は吸引孔からの吸引により収束して吸引孔に向かう竜巻が生じ、この竜巻が有する渦収束性により筒体周辺の煙草の煙を吸引する。したがって、上記効果に加えて、竜巻の有する強力な渦収束性によりエアー吸気口回りの煙草の煙を強く吸引できる効果がある。
【考案を実施するための最良の形態】
【００３３】　以下に、図面を参照して本考案を実施するための最良の形態を説明する。
【実施例１】
【００３４】　図１は本考案を示す室外換気連動型空気清浄機能付きテーブルの断面図である。図１において、室外換気連動型空気清浄機能付きテーブル１は、喫煙室Ａ内に設置され、箱体２にエアー吸気口３、エアー排気口４及びエアー換気口５を設け、エアー吸気口３の下流側の箱体２内にエアー分配器６を設けて箱体２内を排気側ルート７と換気側ルート８とに分けて、排気側ルート７のエアー分配機６とエアー排気口４との間の箱体２に空気清浄機９及び送風機１０を設け、換気側ルート８はエアー分配機６からエアー換気口５に到り、このエアー換気口５は室内換気口１１に接続可能としてなり、エアー吸気口３から吸引した喫煙室Ａ内のエアーをエアー分配器６による分配比率により、清浄化して喫煙室Ａに排気すると共に、未清浄化のまま換気するものである。【００３５】　前記箱体２は、その上にテーブル板２０が設けられ、箱体２下面にキャスター２１が取り付けられて、自在に移動出来るようになっている。このテーブル板２０には前記エアー吸気口３が設けられ、その上方に天板式吸引装置２２が設けられている。この天板式吸引装置２２は、エアー吸気口３の真上に設けた天板２３と、それを支持する支持部２４とからなり、更に、異物侵入を防ぐため、テーブル板２０及び天板２３の間をネット状物２５にて囲っている。この天板式吸引装置２２の天板２３により、主に水平方向の煙草の煙の有効吸引領域が広がり、広い範囲の煙草の煙を吸引することが出来るようになる。【００３６】　前記エアー吸気口３の下面には、吸引エアー中の比較的大きな粒子を除去するプレフィルター３０が取り付けられている。更に、その下流にはエアー分配器６が設けられ、このエアー分配器６は、排気側座面３１と換気側座面３２とに離着座して、箱体２内を排気側ルート７単独と換気側ルート８単独と分けることが出来る。あるいはエアー分配器６が排気側座面３１及び換気側座面３２の双方ともに着座しないで、エアー吸気口３から吸引したエアーを排気側ルート７及び換気側ルート８双方に分配することも出来る。この分配比率は、エアー分配器６の停止位置により自在に変えることが可能である。このエアー分配器６による分配比率の操作は、自動、手動及び半自動いずれでも良い。また、エアー分配器６を設けないで、予め一定の分配比率となるように分配板（不図示）を固定しても良い。この場合は、吸引エアーを排気側ルート７単独と換気側ルート８単独とに分配することも、分配比率を変えることも出来ない。【００３７】　前記排気側ルート７には、その箱体２内に空気清浄機９及び送風機１０が設けられ、この空気清浄機９は、ある一定の性能をクリアーするものであれば特に限定がないが、この実施例１では、前記プレフィルター３０により吸引エアー中の比較的大きな粒子を除去したあと、除去出来なかった微粒子を除去する電気集塵機４０と、臭気成分を除去する脱臭フィルター４１との２部構成となっている。また、電気集塵機４０の代わりに、脱臭機能を併せ持つ高性能なメカニカルフィルターを用いてもよい。なお、送風機１０は必要な容量及び圧力の条件が満たされれば特に限定がない。そして、排気側ルート７の箱体２の下面に前記エアー排気口４が位置して、清浄化後のエアーが排気される。【００３８】　一方、前記換気側ルート８は、その箱体２内は通路の役割を担い、吸引エアーはエアー分配器６からエアー換気口５に到り、更にこのエアー換気口５はダクト４２により室内換気口１１に接続しているから、室内換気口１１から室外に換気される。このようにして、エアー吸気口３から吸引したエアーは、エアー分配器６による分配比率により、空気清浄機９によって清浄化されて排気されると共に未清浄化のまま室外に換気されるものである。【００３９】　そして、前記エアー分配器６は、既に述べたように、エアー吸気口３から吸引したエアーを排気側ルート７、換気側ルート８に分配出来るが、喫煙室Ａ内外の気温情報を受けてその情報により分配出来れば更に都合が良い。すなわち、喫煙室Ａ内外の気温がほぼ同一、例えば、春や秋で外気温が２０℃で、室温が２２℃であれば、エアー分配器６は換気側ルート８単独を選択し、エアー吸気口３から吸引したエアーを未清浄化のまま１００％換気しても、空調負荷が増すことが無く、逆に空気清浄機９及び送風機１０の運転を停止出来、これらのメンテナンス上有利となる。また、冬で外気温が８℃で室温が１９℃、夏で外気温が３５℃で室温が２４℃であれば、室内外の気温差が共に１１℃あり、このような場合に、エアー分配器６が換気側ルート８単独を選択すると、換気により室外に逃げた暖気及び冷気エネルギーを補うため空調負荷が著しく増すことになる。したがって、換気量を出来るだけ減らし、空調負荷を軽減してやる必要があり、理想的にはエアー分配器６が排気側ルート７単独を選択することになる。しかし、この場合は、換気が０であるから、空気清浄機９により除去されなかった超微細な粉塵、一部の臭い、一酸化炭素、二酸化炭素などが喫煙室Ａに蓄積して、環境が悪化する。このため、エアー分配器６は、双方ルートを選択して一部を排気側ルート７、残部を換気側ルート８にそれぞれ分配するのがよい。なお、この際のエアー分配器６による分配比率は、喫煙室Ａの環境を基準として、許容される範囲内で排気側ルート７に分配し、残部はすベて換気側ルート８に分配するのが良い。【００４０】　したがって、エアー分配器６は、喫煙室Ａ内の有害物質情報により、排気側ルート７単独、換気側ルート８単独及び双方ルートに分配するのが良い。すなわち、喫煙室Ａ内に粉塵測定器、臭気測定器、一酸化炭素測定器、二酸化炭素測定器などを設置し、それらから得た有害物質情報により、喫煙室Ａの環境を良好な状態に保持するのに必要な換気量を求め、排気側ルート７及び換気側ルート８の分配比率を定め、それによりエアー分配器６を操作して上記の分配比率を実現する。なお、上記した喫煙室Ａ内外の気温情報並びに喫煙室Ａ内の有害物質情報を組み合わせ、最適な排気側ルート７及び換気側ルート８の分配比率を定め、それによりエアー分配器６を操作して上記の分配比率を実現してもよい。このようにすることで、喫煙室Ａ内の環境を良好な状態に保持出来ると共に、空調負荷や空気清浄負荷を最少限にすることが出来る。【００４１】　次に上記構成になる室外換気連動型空気清浄機能付きテーブル１の使用方法について述べる。
　まず、喫煙室Ａ内の状況に適合する室外換気連動型空気清浄機能付きテーブル１を選択し、それを室内換気口１１近くの喫煙室Ａ内に設置して、室外換気連動型空気清浄機能付きテーブル１のエアー換気口５と室内換気口１１とをダクト４２により接続する。次に、室外換気連動型空気清浄機能付きテーブル１と電源や各種測定機器との繋ぎを行い、更にエアー分配器６の設定を行い、運転を開始する。箱体２内の送風機１０の作動により、エアー吸気口３から喫煙室Ａ内のエアーを吸引するが、天板式吸引装置２２の天板２３により有効吸引領域が広がっているから、エアー吸気口３回りの広い範囲の煙草の煙を直接吸引することが出来る。そして、エアー分配器６の設定が、例えば排気側ルート７及び換気側ルート８の５０％分配比率であれば、エアー吸気口３から吸引した喫煙室Ａ内のエアーは、エアー分配器６により半分が排気側ルート７に、残りの半分が換気側ルート８に分配される。排気側ルート７のエアーは空気清浄機９により清浄化されてエアー排気口４から喫煙室Ａ内に排気される。一方、換気側ルート８のエアーはエアー換気口５及びダクト４２を経由して室内換気口１１から喫煙室Ａ外に未清浄化のまま換気される。【００４２】　また、エアー分配器６の設定が、排気側ルート７単独であれば、エアー吸気口３から吸引したエアーは、エアー分配器６により１００％排気側ルート７に分配され、空気清浄機９により清浄化されてエアー排気口４から喫煙室Ａ内に排気され、換気は無い。エアー分配器６の設定が、換気側ルート８単独であれば、エアー吸気口３から吸引したエアーは、エアー分配器６により１００％換気側ルート８に分配され、エアー換気口５及びダクト３２を経由して室内換気口１１から喫煙室Ａ外に換気され、清浄化は無い。【００４３】　また、エアー分配器６が、喫煙室Ａ内外の気温情報や喫煙室Ａ内の有害物質情報に対応出来るものであれば、それらの情報を組み合わせ、最適な排気側ルート７及び換気側ルート８の分配比率を定め、それによりエアー分配器６を操作して上記の分配比率を実現出来て、喫煙室Ａ内の環境を良好な状態に保持出来ると共に、空調負荷や空気清浄負荷を最少限にとどめることが出来る。したがって、排気側ルート７のエアーのみを空気清浄機９により清浄化するから、換気側ルート８のエアーを清浄化しない分空気清浄機９を小さく出来、排気側ルート８のエアーを換気しない分換気量を少なくでき、煙草の煙を清浄化すると共に未除去の煙等及び炭酸ガスや一酸化炭素などの有害ガスの蓄積を防ぎ、喫煙室等から非喫煙空間に煙草の煙を漏らさず、喫煙室等内も清浄化して快適な喫煙空間にすることが出来る。
【実施例２】
【００４４】　図２は本考案を示す他の室外換気連動型空気清浄機能付きテーブルの断面図である。図２において、室外換気連動型空気清浄機能付きテーブル１ａは、喫煙室Ａに設置され、箱体２にエアー吸気口３、エアー排気口４及びエアー換気口５を設け、エアー吸気口３の下流側の箱体２内に空気清浄機９及び送風機１０を設けて、更にこれら空気清浄機９及び送風機１０の下流側にエアー分配器６ａを設けて箱体２内を排気側ルート７ａと換気側ルート８ａとに分け、排気側ルート７ａはそのままエアー排気口４に到り、換気側ルート８ａはエアー換気口５に到ってこのエアー換気口５は室内換気口１１に接続可能としてなり、エアー吸気口３からのエアーを１００％空気清浄機９により清浄化してから、エアー分配器６ａによる分配比率により、喫煙室Ａ内に排気すると共に換気するものである。すなわち、室外換気連動型空気清浄機能付きテーブル１ａは、エアー吸気口３からのエアーを１００％清浄化してから、喫煙室Ａ内に排気したり、喫煙室Ａ外に換気する点で、図１の室外換気連動型空気清浄機能付きテーブル１と大きく異なるものである。なお、室外換気連動型空気清浄機能付きテーブル１ａのエアー吸気口３には、竜巻式吸引装置５０が設けられ、この竜巻式吸引装置５０は、図３、４に示すように、筒体５１の側壁５２に切欠５３を設けると共に、筒体５１の少なくとも一端部に吸引孔５４を設け、この吸引孔５４をテーブル板２０のエアー吸気口３を通して送風機１０のサクション側に接続してなる。この吸引孔５４は側板５５に開けられ、この吸引孔５４を覆う側部カバー５６が側板５５に取り付けられ、さらに、筒体５１の上方を覆うように上部カバー５７が取り付けられ、この上部カバー５７と筒体５１の切欠口５３とに沿った隙間を吸引開口５８とし、この吸引開口５８も上記エアー吸気口３を通して送風機１０のサクション側に接続している。【００４５】　したがって、送風機１０が作動すると、竜巻式吸引装置５０の吸引開口５８及び吸引孔５４からエアーを吸引するから、吸引開口５８にエアーが入る共に切欠５３から筒体５１内に入り、筒体５１に向かう気流Ｋが生じ、この気流Ｋ中に筒体５１が存在するのと同じ状況となり、この気流Ｋと側壁５２との間の筒体５１内に速度差を生じている部位である不連続面が生じて、その不連続面に小さな渦５９が多数発生する。多数発生した小さな渦５９の軸方向から、すなわち、吸引孔５４からエアーを吸引してやると、多数発生した渦５９のエネルギーを収束し、竜巻ｔのコアを形成して、このコアの回りを自由渦が旋回し、エアーを吸引孔５４に向かう竜巻ｔとして、ここに竜巻ｔを人工的に発生させ得るのである。すなわち、筒体５１内全体に伸びた竜巻ｔが発生しているから、竜巻ｔが有する渦収束力でより筒体５１周辺の広い範囲の煙草の煙をエアーと共に強力に吸引するのである。その他の構成、作用は図１の室外換気連動型空気清浄機能付きテーブル１と同様なので図面に符号を付してその説明を省略する。
【実施例３】
【００４６】　図５は本考案を示す他の室外換気連動型空気清浄機能付きテーブルの断面図である。図５において、室外換気連動型空気清浄機能付きテーブル１ｂは、喫煙室Ａに設置され、箱体２にエアー吸気口３及びエアー排気口４を設け、これらエアー吸気口３とエアー排気口４との間の箱体２内に空気清浄機９及び送風機１０を設けて、且つ箱体２上に換気用吸気口１２を設けこの換気用吸気口１２は室内換気口１１と接続してなり、エアー吸気口３から吸引した喫煙室Ａ内のエアーは全て清浄化して喫煙室Ａ内に排気すると共に、換気用吸気口１２から吸引したエアーは未清浄化のまま喫煙室Ａ外に換気するものである。すなわち、室外換気連動型空気清浄機能付きテーブル１ｂは、清浄化して喫煙室Ａ内に排気するエアーと、未清浄化のまま喫煙室Ａ外に換気するエアーと、を別系統で吸引して、清浄化して喫煙室Ａに排気したり、喫煙室Ａ外にそのまま換気する点で、図１及び図２の室外換気連動型空気清浄機能付きテーブル１及び１ａと大きく異なるものである。【００４７】　室外換気連動型空気清浄機能付きテーブル１ｂの換気用吸気口１２は、筒体１３の側壁に吸引用の多数の小孔群１４を設けてなり、更に、室外換気連動型空気清浄機能付きテーブル１ｂのエアー吸気口３には、全面吸引装置１５が設けられている。この全面吸引装置１５は、エアー吸気口３上を通気性を有する部材１６にて覆い、この通気性部材１６は、ネット、パンチングメタルなどが使われ、この通気性部材１６により全方位から喫煙室Ａ内のエアーを吸引することが出来、換気用吸気口１２の多数の小孔群１４と相俟って、エアー吸気口３周辺のエアーを効率よく吸引することが出来る。その他の構成、作用は図１とほぼ同様なので図面に符号を付してその説明を省略する。
【実施例４】
【００４８】　図６は本考案を示す他の室外換気連動型空気清浄機能付きテーブルの断面図である。図６において、室外換気連動型空気清浄機能付きテーブル１ｃは、喫煙室Ａに設置され、箱体２にエアー吸気口３及びエアー換気口４を設けて、これらエアー吸気口３とエアー換気口４との間の箱体２内をエアー通路１７とし、エアー換気口４は室内換気口１１と接続してなり、エアー吸気口３から吸引した喫煙室Ａ内のエアーをそのままエアー換気口４を通じて室内換気口１１から換気して、喫煙室Ａ内のエアーを清浄化するものである。すなわち、室外換気連動型空気清浄機能付きテーブル１ｃは、喫煙室Ａ内のエアーを吸引して、その吸引エアー全量を未清浄化のまま喫煙室Ａ外に換気する点で、図１、２及び３の室外換気連動型空気清浄機能付きテーブル１、１ａ及び１ｂと大きく異なるものである。なお、この室外換気連動型空気清浄機能付きテーブル１ｃのエアー吸気口３には、上記した竜巻式吸引装置５０が設けられている。したがって、この竜巻式吸引装置５０には、筒体５１内全体に伸びた竜巻ｔが発生しているから、竜巻ｔが有する渦収束力でより筒体５１周辺の広い範囲の煙草の煙をエアーと共に強力に吸引することが出来るものである。その他の構成、作用は図１、２と同様なので図面に符号を付してその説明を省略する。【００４９】　以上、本考案の実施例１乃至４を説明したが、具体的な構成はこれに限定されず、本考案の要旨を逸脱しない範囲での変更・追加、各請求項における他の組み合わせにかかるものも、本考案の範囲内である。
【産業上の利用可能性】
【００５０】　本考案の室外換気連動型空気清浄機能付きテーブルは、喫煙室、喫煙コーナーなどに設置して利用可能であるが、特に、換気設備の整った喫煙室の場合に利用可能性が極めて高くなる。
【図面の簡単な説明】
【００５１】
【図１】　本考案を示す室外換気連動型空気清浄機能付きテーブルの断面図である（実施例１）。
【図２】　本考案を示す室外換気連動型空気清浄機能付きテーブルの断面図である（実施例２）。
【図３】　本考案を示す室外換気連動型空気清浄機能付きテーブルの竜巻式吸引装置の軸方向の断面図である（実施例２）。
【図４】　本考案を示す室外換気連動型空気清浄機能付きテーブルの竜巻式吸引装置の径方向の断面図である（実施例２）。
【図５】　本考案を示す室外換気連動型空気清浄機能付きテーブルの断面図である（実施例３）。
【図６】　本発明を示す室外換気連動型空気清浄機能付きテーブルの断面図である（実施例４）。
【図７】　従来例の断面図である。
【図８】　従来例の断面図である。
【図９】　従来例の断面図である。
【符号の説明】
【００５２】１、１ａ、１ｂ、１ｃ　　　室外換気連動型空気清浄機能付きテーブル
２　　　　　　　　　　　　箱体
３、ｂ　　　　　　　　　　エアー吸気口
４、ｃ　　　　　　　　　　エアー排気口
５、ｄ　　　　　　　　　　エアー換気口
６、６ａ　　　　　　　　　エアー分配器
７、７ａ　　　　　　　　　排気側ルート
８、８ａ　　　　　　　　　換気側ルート
９　　　　　　　　　　　　空気清浄機
１０、ｇ　　　　　　　　　送風機
１１　　　　　　　　　　　室内換気口
１２　　　　　　　　　　　換気用吸気口
１３　　　　　　　　　　　筒体
１４　　　　　　　　　　　小孔群
１５　　　　　　　　　　　全面吸引装置
１６　　　　　　　　　　　通気性部材
１７　　　　　　　　　　　エアー通路
２０　　　　　　　　　　　テーブル板
２１　　　　　　　　　　　キャスター
２２　　　　　　　　　　　天板式吸引装置
２３　　　　　　　　　　　天板
３０　　　　　　　　　　　プレフィルター
３１　　　　　　　　　　　排気側座面
３２　　　　　　　　　　　換気側座面
４０　　　　　　　　　　　電気集塵機
４１　　　　　　　　　　　脱臭フィルター
４２　　　　　　　　　　　ダクト
５０　　　　　　　　　　　竜巻式吸引装置
５１　　　　　　　　　　　筒体
５２　　　　　　　　　　　側壁
５３　　　　　　　　　　　切欠口
５４　　　　　　　　　　　吸引孔
５５　　　　　　　　　　　側板
５６　　　　　　　　　　　側部カバー
５７　　　　　　　　　　　上部カバー
５８　　　　　　　　　　　吸引開口
５９　　　　　　　　　　　渦
Ａ、ｊ　　　　　　　　　　喫煙室
ａ　　　　　　　　　　　　筐体
ｂ　　　　　　　　　　　　空気取入口
ｃ　　　　　　　　　　　　空気吹出口
ｄ　　　　　　　　　　　　集塵機
ｅ　　　　　　　　　　　　第１空気通路
ｆ　　　　　　　　　　　　第２空気通路
ｈ　　　　　　　　　　　　室内空間
ｉ　　　　　　　　　　　　エアーカーテン
Ｋ　　　　　　　　　　　　気流
ｋ　　　　　　　　　　　　非喫煙室
ｍ　　　　　　　　　　　　天井面
ｎ　　　　　　　　　　　　ラインフローファン
ｏ　　　　　　　　　　　　排気ファン
ｐ　　　　　　　　　　　　等圧チャンバー
Ｑ　　　　　　　　　　　　エアー量
ｑ　　　　　　　　　　　　つい立て本体
Ｒ　　　　　　　　　　　　スペース
ｒ　　　　　　　　　　　　エアー循環吸込口
ｓ　　　　　　　　　　　　エアー吸込口
ｔ　　　　　　　　　　　　竜巻
【図１】
0003099170.tif 000003
【図２】
0003099170.tif 000004
【図３】
0003099170.tif 000005
【図４】
0003099170.tif 000006
【図５】
0003099170.tif 000007
【図６】
0003099170.tif 000008
【図７】
0003099170.tif 000009
【図８】
0003099170.tif 000010
【図９】
0003099170.tif 000011